(57)【特許請求の範囲】
【請求項１】
ボイラ水を加熱することで蒸気を生成する蒸気ボイラの運転方法であって、
前記ボイラ水として用いられる硬度が５ｍｇＣａＣＯ３／Ｌ以下の給水を前記蒸気ボイラへ供給しながら、かつ、前記ボイラ水の一部を適宜廃棄しながら、前記蒸気ボイラにおいて前記ボイラ水を加熱する工程と、
アルカリ金属ケイ酸塩、アルカリ金属水酸化物並びにエチレンジアミン四酢酸およびそのアルカリ金属塩のうちの少なくとも１種のスケール抑制剤を含む薬剤水溶液を、前記スケール抑制剤の濃度が前記給水の硬度に対して少なくとも１．５モル当量倍になるよう前記給水に対して供給する工程とを含み、
前記蒸気ボイラにおいて、前記ボイラ水における前記スケール抑制剤の濃度が４０ｍｇＥＤＴＡ／Ｌ以下になるよう前記ボイラ水の濃縮倍率を設定する、
蒸気ボイラの運転方法。
【請求項２】
前記給水は、水道水、工業用水または地下水を陽イオン交換樹脂を用いて処理した軟化水である、請求項１に記載の蒸気ボイラの運転方法。
【請求項３】
前記アルカリ金属ケイ酸塩は、ケイ酸および二酸化ケイ素のうちの少なくとも１種とアルカリ金属水酸化物との反応生成物である、請求項１または２に記載の蒸気ボイラの運転方法。
【発明の詳細な説明】
【技術分野】
【０００１】
本発明は、蒸気ボイラの運転方法、特に、ボイラ水を加熱することで蒸気を生成する蒸気ボイラの運転方法に関する。
【背景技術】
【０００２】
熱交換器等の負荷装置へ蒸気を供給するための一般的な蒸気ボイラ装置は、蒸気ボイラへの給水装置を備えている。蒸気ボイラは、給水装置からの給水をボイラ水として加熱することで蒸気を生成し、蒸気経路を通じてこの蒸気を負荷装置へ供給する。ここで供給される給水は、通常、水道水、工業用水または地下水などの原水を軟水化装置により処理することで硬度成分を除去した軟化水である。このため、蒸気ボイラは、ボイラ水を加熱するための伝熱管等において熱伝導の阻害原因となるスケールの生成が抑制され、長期間に亘る経済的な運転が可能になる。
【０００３】
また、ボイラ水は、給水に含まれる溶存酸素および塩化物イオンや硫酸イオン等の腐食性イオンにより、また、ボイラ水のｐＨが適正範囲（ＪＩＳ  Ｂ８２２３の低圧ボイラ基準では１１〜１１．８）にないこと、特に、適正範囲よりも低いことにより、蒸気ボイラの伝熱管等の腐食を進行させ、孔開き等の不具合を発生させることがある。このため、蒸気ボイラ装置の運転では、給水に対して腐食抑制剤を添加し、伝熱管等の腐食の抑制を図っている。腐食抑制剤としては、通常、溶存酸素や腐食性イオンを原因とする腐食を抑制するための皮膜形成剤とｐＨ調整剤とが併用されており、例えば、皮膜形成剤であるアルカリ金属ケイ酸塩と、ｐＨ調整剤であるアルカリ金属水酸化物とを混合した水溶液からなる複合腐食抑制剤が提案されている（特許文献１）。この複合腐食抑制剤が添加された給水によるボイラ水は、有機化合物を含まないことから化学的酸素要求量（ＣＯＤ）の排出規制を考慮する必要がなく、環境系に対して安全に廃棄することができる。
【０００４】
ところで、蒸気ボイラ装置において用いられる軟水化装置は、陽イオン交換樹脂を用いたイオン交換により原水中の硬度成分（マグネシウムイオンおよびカルシウムイオン）を除去可能なものであるが、原水中に含まれるシリカを除去することはできない。原水中に含まれるシリカは、それ単独ではスケール生成の原因になりにくいものと理解されているが、硬度成分と容易に結合して水に不溶性の塩を形成するため、スケールの原因になる。このため、軟水化装置の不具合により給水への硬度成分の微量な漏れが生じたときは、蒸気ボイラにおいてシリカを主原因とするスケールが生成する可能性がある。
【０００５】
そこで、軟水化装置での硬度成分の漏れに対応するため、蒸気ボイラへの給水に対しては、通常、腐食抑制剤とともに、硬度成分をキレート化することでスケール生成を抑制可能なスケール抑制剤が添加されており、このスケール抑制剤としてエチレンジアミン四酢酸またはそのアルカリ金属塩が一般的に知られている。
【０００６】
ここで、エチレンジアミン四酢酸およびそのアルカリ金属塩は、有機化合物であることからボイラ水のＣＯＤを高める原因となるため、その給水への添加量は必要最小限に設定するのが好ましい。この点、エチレンジアミン四酢酸またはそのアルカリ金属塩と硬度成分との錯体においてエチレンジアミン四酢酸またはそのアルカリ金属塩と硬度成分とのモル比が１：１であることが知られているため（非特許文献１）、エチレンジアミン四酢酸またはそのアルカリ金属塩の添加量は、この知見に基づき、軟水化装置からの漏れにより給水に含まれるものと想定される多価金属イオンと当量に、または、当量よりも少し多めに設定するのが好ましいものと考えられる。
【０００７】
ところが、そのようにエチレンジアミン四酢酸またはそのアルカリ金属塩の添加量を設定した場合においても、現実には蒸気ボイラにスケールが発生する。
【先行技術文献】
【特許文献】
【０００８】
【特許文献１】特開２００３−１６０８８６号公報、特許請求の範囲および段落００１２
【非特許文献】
【０００９】
【非特許文献１】Ｉｎｃ．  Ｂｅｔｚ  Ｌａｂｏｒａｔｏｒｉｅｓ，  Ｂｅｔｚ  Ｈａｎｄｂｏｏｋ  ｏｆ  Ｉｎｄｕｓｔｒｉａｌ  Ｗａｔｅｒ  Ｃｏｎｄｉｔｉｏｎｉｎｇ，  ８ｔｈ  Ｅｄ．（１９８０）
【発明の概要】
【発明が解決しようとする課題】
【００１０】
本発明の目的は、蒸気ボイラにおけるスケールの発生を抑制しながら、ボイラ水の化学的酸素要求量を水質汚濁防止法および各自治体の上乗せ基準で規定された排出水の環境基準の一つである３０ｍｇ／Ｌ以下に抑制することにある。
【課題を解決するための手段】
【００１１】
本発明は、ボイラ水を加熱することで蒸気を生成する蒸気ボイラの運転方法に関するものであり、この運転方法は、ボイラ水として用いられる硬度が５ｍｇＣａＣＯ３／Ｌ以下の給水を蒸気ボイラへ供給しながら、かつ、ボイラ水の一部を適宜廃棄しながら、蒸気ボイラにおいてボイラ水を加熱する工程と、アルカリ金属ケイ酸塩、アルカリ金属水酸化物並びにエチレンジアミン四酢酸およびそのアルカリ金属塩のうちの少なくとも１種のスケール抑制剤を含む薬剤水溶液を、スケール抑制剤の濃度が給水の硬度に対して少なくとも１．５モル当量倍になるよう給水に対して供給する工程とを含み、蒸気ボイラにおいて、ボイラ水におけるスケール抑制剤の濃度が４０ｍｇＥＤＴＡ／Ｌ以下になるようボイラ水の濃縮倍率を設定する。
【００１２】
この運転方法において用いられる給水は、通常、水道水、工業用水または地下水を陽イオン交換樹脂を用いて処理した軟化水である。また、アルカリ金属ケイ酸塩は、例えば、ケイ酸および二酸化ケイ素のうちの少なくとも１種とアルカリ金属水酸化物との反応生成物である。
【発明の効果】
【００１３】
本発明に係る蒸気ボイラの運転方法は、薬剤水溶液としてスケール抑制剤を含む特定のものを用い、しかも、給水に対する薬剤水溶液の添加量を給水におけるスケール抑制剤の濃度を基準に制御しかつスケール抑制剤の濃度が所定値以下になるようボイラ水の濃縮倍率を制御しているため、蒸気ボイラにおけるスケールの発生を抑制しながら、ボイラ水の化学的酸素要求量を水質汚濁防止法および各自治体の上乗せ基準で規定された排出水の環境基準の一つである３０ｍｇ／Ｌ以下に抑制することができる。
【図面の簡単な説明】
【００１４】
【図１】本発明に係る運転方法を実施可能な蒸気ボイラ装置の一形態の概略図。
【図２】前記蒸気ボイラ装置において用いられる蒸気ボイラの一部断面概略図。
【図３】実験例で用いた模擬蒸気ボイラ装置の概略図。
【図４】前記模擬蒸気ボイラ装置において用いられる模擬蒸気ボイラの断面概略図。
【図５】実験例の結果に基づいて作成した、ボイラ水のＥＤＴＡ換算濃度と硬度の溶解度上昇分との関係を示す図。
【発明を実施するための形態】
【００１５】
図１を参照して、本発明に係る運転方法を実施可能な蒸気ボイラ装置の一形態を説明する。図１において、蒸気ボイラ装置１は、熱交換器、蒸気釜、リボイラ若しくはオートクレーブ等の蒸気使用設備である負荷装置２に対して蒸気を供給するためのものであり、給水装置１０、蒸気ボイラ２０、復水配管３０、薬剤供給装置６０および制御装置７０を主に備えている。
【００１６】
給水装置１０は、蒸気ボイラ２０においてボイラ水として用いられる給水を供給するためのものであり、給水を貯留するための給水タンク４０と、給水として用いられる補給水を給水タンクへ供給するための補給経路５０とを主に備えている。給水タンク４０は、その底部から蒸気ボイラ２０へ延びる給水経路４１を有している。給水経路４１は、蒸気ボイラ２０に連絡しており、給水タンク４０内に貯留された給水を蒸気ボイラ２０へ送り出すための給水ポンプ４２と、給水中の硬度を測定するためのセンサ４３とを有している。
【００１７】
補給経路５０は、注水路５１を有している。この注水路５１は、水道水、工業用水若しくは地下水等の水源から供給される原水が貯留されている原水タンク（図示せず）から給水タンク４０へ補給水を供給するためのものであり、給水タンク４０へ向けて軟水化装置５２および脱酸素装置５３をこの順に有している。
【００１８】
軟水化装置５２は、原水タンクからの補給水をナトリウム型陽イオン交換樹脂により処理し、補給水に含まれる硬度成分であるカルシウムイオンおよびマグネシウムイオンをナトリウムイオンに置換して軟化水へ変換するためのものである。
【００１９】
脱酸素装置５３は、軟水化装置５２において処理された補給水中の溶存酸素を除去するためのものであり、通常、分離膜を用いて溶存酸素を除去する形式のもの、処理水を減圧環境下において溶存酸素を除去する形式のもの、若しくは、処理水を加熱して溶存酸素を除去する形式のものなどの各種の形式のものが用いられる。
【００２０】
蒸気ボイラ２０は、貫流ボイラであり、図２に示すように、給水経路４１から供給される給水を貯留可能な環状の貯留部２１、貯留部２１から起立する多数の伝熱管２２（図２では、このうちの二本のみ示している）、伝熱管２２の上端部に設けられた環状のヘッダ２３、ヘッダ２３から負荷装置２へ延びる蒸気供給配管２４、バーナーなどの燃焼装置２５およびブロー経路２６を主に備えている。
【００２１】
伝熱管２２は、非不動態化金属を用いて形成されている。非不動態化金属は、中性水溶液中において自然には不動態化しない金属をいい、通常はステンレス鋼、チタン、アルミニウム、クロム、ニッケルおよびジルコニウム等を除く金属である。具体的には、炭素鋼、鋳鉄、銅および銅合金等である。なお、炭素鋼は、中性水溶液中においても、高濃度のクロム酸イオンの存在下では不動態化する場合があるが、この不動態化はクロム酸イオンの影響によるものであって中性水溶液中での自然な不動態化とは言い難い。したがって、炭素鋼は、ここでの非不動態化金属の範疇に属する。また、銅および銅合金は、電気化学列（ｅｍｆ ｓｅｒｉｅｓ）が貴な位置にあるため、通常は水分の影響による腐食が生じ難い金属と考えられているが、中性水溶液中において自然に不動態化するものではないので、非不動態化金属の範疇に属する。
【００２２】
燃焼装置２５は、ヘッダ２３側から貯留部２１方向へ燃焼ガスを放射し、伝熱管２２を加熱するためのものである。ブロー経路２６は、制御弁２７を有しており、制御弁２７の開閉によりボイラ水の一部を廃棄可能である。
【００２３】
復水配管３０は、負荷装置２から給水タンク４０へ延びており、スチームトラップ３１を有している。スチームトラップ３１は、蒸気と凝縮水とを分離するためのものである。復水配管３０は、通常、給水タンク４０内に貯留された給水に対して空気を巻き込まないようにするため、先端部が給水内に配置されるよう給水タンク４０の底部近傍に配置されているのが好ましい。復水配管３０は、蒸気ボイラ２０の伝熱管２２と同じく、非不動態化金属を用いて形成されている。
【００２４】
薬剤供給装置６０は、給水タンク４０から蒸気ボイラ２０へ供給される給水中へ薬剤を供給するためのものである。薬剤供給装置６０は、薬剤を貯留するための薬剤タンク６１、薬剤タンク６１から給水経路４１へ延びる供給路６２および供給路６２に設けられた供給ポンプ６３を有している。供給ポンプ６３は、薬剤タンク６１に貯留された薬剤を供給路６２を通じて給水経路４１へ送り出すものであり、流量制御が可能なものである。
【００２５】
制御装置７０は、主に、薬剤供給装置６０の供給ポンプ６３とブロー経路２６の制御弁２７とを制御するためのものであり、その入力側にセンサ４３において測定された給水の硬度情報等が入力され、また、その出力側から供給ポンプ６３および制御弁２７等への動作指令を出力するよう設定されている。
【００２６】
薬剤供給装置６０の薬剤タンク６１に貯留される薬剤は、蒸気ボイラ２０における腐食とスケール発生とを抑制するためのもの、特に、伝熱管２２における腐食とスケール発生とを抑制するためのものであり、アルカリ金属ケイ酸塩、アルカリ金属水酸化物およびスケール抑制剤を蒸留水などの精製水に溶解した水溶液である。
【００２７】
この薬剤水溶液において用いられるアルカリ金属ケイ酸塩は、Ｍ２Ｏ・ｎＳｉＯ２の一般式で表される化合物であり、式中のＭはアルカリ金属（通常はカリウムまたはナトリウム）を示し、また、ｎは０．５から４の数値である。アルカリ金属ケイ酸塩は、蒸気ボイラ２０において、ボイラ水の接触面、特に、伝熱管２２の内面に皮膜を形成し、この皮膜により伝熱管２２の腐食を抑制可能である。
【００２８】
ここで用いられるアルカリ金属ケイ酸塩の例としては、メタケイ酸ナトリウム（式中のＭがナトリウムでありかつｎが１のもの）、オルソケイ酸ナトリウム（式中のＭがナトリウムでありかつｎが０．５のもの）およびポリケイ酸ナトリウム（式中のＭがナトリウムでありかつｎが２〜３のもの）等のケイ酸ナトリウム並びにメタケイ酸カリウム（式中のＭがカリウムでありかつｎが１のもの）、オルソケイ酸カリウム（式中のＭがカリウムでありかつｎが０．５のもの）およびポリケイ酸カリウム（式中のＭがカリウムでありかつｎが２〜３のもの）等のケイ酸カリウムを挙げることができる。アルカリ金属ケイ酸塩は、２種以上のものが併用されてもよい。また、アルカリ金属ケイ酸塩は、薬剤水溶液にケイ酸および二酸化ケイ素のうちの少なくとも１種とアルカリ金属水酸化物とを溶解し、これらを反応させることで調製したものであってもよい。この目的で用いられるケイ酸は、通常、メタケイ酸やオルソケイ酸などであり、また、アルカリ金属水酸化物は、通常、水酸化ナトリウムや水酸化カリウムなどである。この場合、ケイ酸、二酸化ケイ素およびアルカリ金属水酸化物の数種を組み合わせることで、２種類以上のアルカリ金属ケイ酸塩を調製してもよい。
【００２９】
薬剤水溶液におけるアルカリ金属ケイ酸塩の濃度は、アルカリ金属ケイ酸塩の溶解度、薬剤水溶液の粘度および給水で希釈された薬剤水溶液の腐食抑制効果等を考慮して、通常、０．０１〜６０重量％に設定するのが好ましく、０．１〜５５重量％に設定するのがより好ましい。
【００３０】
薬剤水溶液において用いられるアルカリ金属水酸化物は、通常、水酸化ナトリウムや水酸化カリウムである。このアルカリ金属水酸化物は、ボイラ水のｐＨをアルカリ性側へ調整することで蒸気ボイラ２０、特に、その伝熱管２２の腐食を抑制するためのものである。薬剤水溶液におけるアルカリ金属水酸化物の濃度は、給水で希釈された薬剤水溶液のｐＨ上昇効果等を考慮して、通常、０．１〜３０重量％に設定するのが好ましく、１〜１０重量％に設定するのがより好ましい。なお、薬剤水溶液において用いるアルカリ金属ケイ酸塩がケイ酸または二酸化ケイ素とアルカリ金属水酸化物との反応により調製されるものである場合、アルカリ金属水酸化物の上記濃度は、この調製のために用いられるアルカリ金属水酸化物分を除いたものである。
【００３１】
薬剤水溶液において用いられるスケール抑制剤は、エチレンジアミン四酢酸（ＥＤＴＡ）およびそのアルカリ金属塩のうちの少なくとも１種のものである。このスケール抑制剤は、給水に含まれる硬度成分をキレート化することで硬度成分がボイラ水に溶解した状態を維持することができ、それによって蒸気ボイラ２０の伝熱管２２においてスケールが生成するのを抑制することができる。
【００３２】
スケール抑制剤として用いられるエチレンジアミン四酢酸のアルカリ金属塩は、エチレンジアミン四酢酸の４つのカルボキシル基のうちの少なくとも１つがアルカリ金属塩を形成しているものであり、また、この塩を形成するアルカリ金属は、通常、ナトリウムやカリウムである。エチレンジアミン四酢酸のアルカリ金属塩の例としては、エチレンジアミン四酢酸−２ナトリウム塩、エチレンジアミン四酢酸−４ナトリウム塩、エチレンジアミン四酢酸−２カリウム塩およびエチレンジアミン四酢酸−４カリウム塩を挙げることができる。
【００３３】
薬剤水溶液におけるスケール抑制剤の濃度は、給水中の硬度に対するモル当量比および薬剤水溶液の供給量等を考慮して、通常、０．１〜５０重量％に設定するのが好ましく、１〜３０重量％に設定するのがより好ましい。
【００３４】
次に、上述の蒸気ボイラ装置１の運転方法を説明する。
蒸気ボイラ装置１の運転では、先ず、原水タンクから注水路５１を通じて給水タンク４０へ補給水を供給し、この補給水をボイラ給水として給水タンク４０に貯留する。
【００３５】
この際、原水タンクからの補給水は、先ず、軟水化装置５２において処理され、硬度成分が除去されることで軟化水になる。この結果、補給水の硬度は、通常、５ｍｇＣａＣＯ３／Ｌ以下、特に、１ｍｇＣａＣＯ３／Ｌ以下の微量に調整される。軟水化装置５２において軟化水となった補給水は、次に、脱酸素装置５３において脱酸素処理される。これにより、補給水は、蒸気ボイラ２０において伝熱管２２等の腐食を促進する溶存酸素が除去される。以上の結果、給水タンク４０には、脱酸素処理された、硬度が５ｍｇＣａＣＯ３／Ｌ以下、特に、１ｍｇＣａＣＯ３／Ｌ以下の軟化水が蒸気ボイラ２０への給水として貯留されることになる。
【００３６】
給水タンク４０に補給水が貯留された状態で給水ポンプ４２を作動させると、給水タンク４０に貯留された補給水、すなわち給水は、給水経路４１を通じて蒸気ボイラ２０へ供給される。蒸気ボイラ２０へ供給された給水は、貯留部２１においてボイラ水として貯留される。このボイラ水は、各伝熱管２２を通じて燃焼装置２５により加熱されながら各伝熱管２２内を上昇し、徐々に蒸気になる。そして、各伝熱管２２内において生成した蒸気は、ヘッダ２３において集められ、蒸気供給配管２４を通じて負荷装置２へ供給される。このような蒸気の生成により、ボイラ水の濃縮が進行する。
【００３７】
負荷装置２へ供給された蒸気は、負荷装置２を通過して復水配管３０へ流れ、そこで潜熱を失って一部が凝縮水に変わり、スチームトラップ３１において蒸気と凝縮水とが分離されて高温の復水になる。このようにして生成した復水は、復水配管３０を通じて給水タンク４０へ回収されて貯留された補給水と混合され、給水として再利用される。この際、給水タンク４０に貯留された給水は、高温の復水により加熱されるので、蒸気ボイラ２０での加熱負担が軽減される。
【００３８】
蒸気ボイラ装置１は、上述のような運転中において、給水経路４１内を蒸気ボイラ２０へ流れる給水に対し、薬剤供給装置６０から薬剤水溶液を供給する。この際、制御装置７０は、センサ４３からの硬度情報および給水の流量並びに薬剤水溶液における各成分の濃度（特に、スケール抑制剤の濃度）等に基づいて供給ポンプ６３を作動させ、給水に対する薬剤水溶液の供給量を制御する。具体的には、センサ４３により測定された給水の硬度に対して少なくとも１．５モル当量倍（給水の硬度のモル数の少なくとも１．５倍モル）に給水におけるスケール抑制剤の濃度がなるよう、薬剤タンク６１から給水経路４１への薬剤水溶液の供給量を制御する。給水におけるスケール抑制剤の濃度が硬度に対して１．５モル当量倍よりも少ない場合は、軟水化装置５２での硬度漏れにより給水中に残留している硬度成分と給水中に含まれる炭酸水素イオンが蒸気ボイラ２０内で熱分解して生じた炭酸イオン等とが水に不溶性の塩を生成することにより、また、当該硬度成分と給水中に含まれるシリカとが水に不溶性の塩を生成することにより、蒸気ボイラ２０の伝熱管２２においてスケールが生成しやすくなる。
【００３９】
スケール抑制剤であるエチレンジアミン四酢酸またはそのアルカリ金属塩と硬度成分との錯体において、エチレンジアミン四酢酸またはそのアルカリ金属塩と硬度成分とのモル比は１：１であることが非特許文献１等から知られているが、給水におけるスケール抑制剤の濃度が硬度と当量であっても１．５モル当量倍よりも少ない場合にスケールが生成しやすくなる理由として、次のものが考えられる。
【００４０】
（１）ボイラ水は高温、高アルカリ性になるため、高温下でスケール抑制剤の立体構造が自由変形状態になり、逆に、高アルカリ性下でスケール抑制剤の分子内のマイナス電荷同士の電気的反発によりスケール抑制剤の立体構造が固定化する可能性がある。これらの効果の相殺により、硬度成分とキレートを形成するスケール抑制剤が部分的に２分子になる可能性が考えられる。
（２）高温のボイラ水中においてスケール抑制剤が熱分解し、ボイラ水におけるスケール抑制剤の濃度が想定よりも減少している可能性がある。
（３）高温、高アルカリ性のボイラ水中においては、硬度成分とスケール抑制剤とによる錯体の形成が抑えられる可能性がある。
【００４１】
また、蒸気ボイラ装置１の運転中は、蒸気ボイラ２０において、ボイラ水におけるスケール抑制剤の濃度が４０ｍｇＥＤＴＡ／Ｌ以下になるようボイラ水の濃縮倍率を設定する。ここでは、給水に対して供給した薬剤水溶液の量等に基づいて給水中のスケール抑制剤の濃度を制御装置７０が判定する。そして、制御装置７０は、スケール抑制剤の濃度がボイラ水において４０ｍｇＥＤＴＡ／Ｌ以下になるよう、ブロー経路２６の制御弁２７を適宜開閉することでボイラ水の一部を廃棄し、ボイラ水の濃縮倍率を調整する。なお、スケール抑制剤としてエチレンジアミン四酢酸のアルカリ金属塩を用いる場合、その濃度はエチレンジアミン四酢酸換算での濃度である。
【００４２】
本発明の運転方法では、給水におけるスケール抑制剤の濃度が給水の硬度に対して少なくとも１．５モル当量倍になるよう給水に対して薬剤水溶液を添加しているため、蒸気ボイラ２０において、スケールの発生を効果的に抑制することができる。また、蒸気ボイラ２０においては、ボイラ水におけるスケール抑制剤の濃度が４０ｍｇＥＤＴＡ／Ｌ以下になるようボイラ水の濃縮倍率を設定しているため、ブロー水として廃棄されるボイラ水の化学的酸素要求量を水質汚濁防止法および各自治体の上乗せ基準で規定された排出水の環境基準の一つである３０ｍｇ／Ｌ以下に抑制することができる。なお、ここでいう化学的酸素要求量は、酸化剤として過マンガン酸カリウムを用いる測定法によるものであり、一般にＣＯＤＭｎと表記される。
【００４３】
なお、給水の硬度が５ｍｇＣａＣＯ３／Ｌを超える場合、スケール抑制を図るために給水に対して多量の薬剤水溶液を供給する必要があることから、ボイラ水におけるスケール抑制剤の濃度を４０ｍｇＥＤＴＡ／Ｌ以下に制御するのが困難である。
【００４４】
実験例
（調合水１の調製）
愛媛県松山市の水道水を混床式純水装置に供給し、電気伝導率が０．２ｍＳ／ｍ以下のイオン交換水を得た。このイオン交換水に対し、塩化ナトリウム（試薬特級）、炭酸水素ナトリウム（試薬特級）、硫酸ナトリウム（試薬特級）、ケイ酸ナトリウム（Ｐｒａｃｔｉｃａｌ  Ｇｒａｄｅ）および塩化カルシウム（試薬特級）を添加し、下記の水質の調合水１を調製した。なお、イオン交換水に対してこれらの試薬のみを添加すると、調合水のｐＨがアルカリ性になるため、塩化ナトリウムおよび硫酸ナトリウムの一部をそれぞれ塩酸（試薬特級）および硫酸（試薬特級）に置き換え、調合水１のｐＨが中性付近になるよう調整した。各試薬は、和光純薬工業株式会社の製品をそのまま用いた。
【００４５】
＜水質＞
硬度（Ｃａ２＋）：５ｍｇＣａＣＯ３／Ｌ
酸消費量（ｐＨ４．８）：３０ｍｇＣａＣＯ３／Ｌ
シリカ：６０ｍｇＳｉＯ２／Ｌ
塩化物イオン：５ｍｇＣｌ−／Ｌ
硫酸イオン：５ｍｇＳＯ４２−／Ｌ
【００４６】
（調合水２の調製）
調合水１の調製時にエチレンジアミン四酢酸−２ナトリウム塩（ＥＤＴＡ−２Ｎａ：和光純薬工業株式会社の試薬特級）をさらに添加し、エチレンジアミン四酢酸換算での濃度（以下、「ＥＤＴＡ換算濃度」という）が７．５ｍｇ／Ｌに調整された調合水２を調製した。
（調合水３の調製）
調合水１の調製時にエチレンジアミン四酢酸−２ナトリウム塩（ＥＤＴＡ−２Ｎａ：和光純薬工業株式会社の試薬特級）をさらに添加し、ＥＤＴＡ換算濃度が１５ｍｇ／Ｌに調整された調合水３を調製した。
【００４７】
（模擬蒸気ボイラ装置の製作）
図３に示す模擬蒸気ボイラ装置を製作した。図において、模擬蒸気ボイラ装置１００は、給水タンク１１０、給水路１２０および模擬蒸気ボイラ１３０を主に備えている。給水タンク１１０は、ＳＵＳ３０４製のものであり、調合水を貯留するためのものである。給水路１２０は、給水タンク１１０に貯留された調合水を模擬蒸気ボイラ１３０へ供給するための経路であり、調合水を送水するためのダイヤフラム式ポンプ（株式会社イワキの型番「ＥＨＣ−１５ＶＣ」）１２１と脱気装置１２２とをこの順に備えている。脱気装置１２２は、三浦工業株式会社製の脱気装置（型式「ＤＯＲ」）と同等の性能の小型機であり、調合水中の溶存酸素を除去するためのものである。給水路１２０の配管部分は、ダイヤフラム式ポンプ１２１の前後を軟質塩化ビニルホースで形成した点を除き、内径４ｍｍで外径６ｍｍのステンレス管（ＳＵＳ３０４製）を用いて形成した。
【００４８】
模擬蒸気ボイラ１３０は、図４に示すように、給水路１２０が連絡しているハウジング１３１、試験片１３２およびヒータ１３３を備えている。ハウジング１３１は、ＳＵＳ３０４製で上端が閉鎖された円筒状の部材であり、下部にブロー弁１３４を有しており、上端に蒸気取り出し弁１３５を有している。試験片１３２は、１５Ａ×２００ｍｍのＳＴＧＰ鋼管の一端をＳＳ４００製の蓋で封鎖し、また、他端に直径６０ｍｍのＳＳ４００製の鍔を溶接した構造のものであり、封鎖端がハウジング１３１内に挿入されており、鍔がハウジング１３１の下端の開口を閉鎖している。これにより、ハウジング１３１内には、給水を保持可能な空間が確保されている。試験片１３２は、実験に際し、表面を４００番研磨し、また、アセトンとメタノールを用いて脱脂した。ヒータ１３３は、直径１２．６ｍｍで長さ１５０ｍｍの円筒状のＷａｔｌｏｗ社製カートリッジヒータ（出力２．１ｋＷ）であり、試験片１３２内に挿入されている。
【００４９】
（実験）
給水タンク１１０に調合水１を２００Ｌを貯留し、以下の条件になるよう間欠的にブローしながら模擬蒸気ボイラ装置１００を４８時間運転した。
＜条件＞
ハウジング１３１内の保有水量：２４０ｍＬ
運転圧力：０．５ＭＰａ
相当蒸発量：１．６ｋｇ／ｈ
濃縮倍率：１０倍
【００５０】
運転終了時に１０倍濃縮されたボイラ水をブロー水として採取し、その硬度（Ｃａ２＋）をＩＣＰ発光分光分析装置（ＳＩＩナノテクノロジーズ社の「ＳＰＳ７８００」）を用いて調べたところ、４．４ｍｇＣａＣＯ３／Ｌであった。ボイラ水においてスラッジは観られなかった。
【００５１】
同様の実験を調合水２および３について実施し、運転終了時のボイラ水の硬度（Ｃａ２＋）を同様の方法で調べたところ、それぞれ２１．０ｍｇＣａＣＯ３／Ｌおよび３９．０ｍｇＣａＣＯ３／Ｌであった。これらの場合も、ボイラ水においてスラッジは観られなかった。この結果によると、調合水２および３によるボイラ水は、調合水１によるボイラ水に比べ、それぞれ硬度（Ｃａ２＋）の溶解度が１６．６ｍｇＣａＣＯ３／Ｌおよび３４．６ｍｇＣａＣＯ３／Ｌ上昇していることになる。調合水のＥＤＴＡ換算濃度（ｘ）と硬度の溶解度上昇分（ｙ）との関係を図５に示す。
【００５２】
図５によると、ＥＤＴＡ換算濃度（ｘ）と硬度の溶解度上昇分（ｙ）とは直線関係にあり、傾きが０．２２８８である（ｙ＝０．２２８８ｘ）。また、エチレンジアミン四酢酸（ＥＤＴＡ）の分子量は、２９２．２４である。これらより、ＥＤＴＡ−２Ｎａは、１モルで硬度を０．６６８モル（（０．２２８８／１００）÷（１／２９２．２４）＝０．６６８モル）封鎖していることになるから、１モルの硬度を封鎖するために硬度の約１．５倍モル以上必要なことがわかる。
【図１】
0005510123.tif 000002
【図２】
0005510123.tif 000003
【図３】
0005510123.tif 000004
【図４】
0005510123.tif 000005
【図５】
0005510123.tif 000006